(57)【要約】【課題】  移動無線通信端末において、受信パイロットシンボルに予想外の雑音が加わった場合に、それを検出して補正することにより、チャネル推定精度を向上させること。【解決手段】  複数の受信パイロットシンボルのうちフェージングによる雑音が加わっているものＳn+k+3  を、第一種０次ベッセル関数を用いて検出し、この雑音が加わっている受信パイロットシンボルを、以下のようにして補正する。すなわち、この受信パイロットシンボルより前の２つの受信パイロットシンボルＳn+k+1  とＳn+k+2  との差を、Ｓn+k+3  に加えて、これを仮補正受信パイロットシンボルとし、これを含めて相関係数を算出する。この相関係数が第一種０次ベッセル関数の所定範囲内になった場合に、仮補正受信パイロットシンボルを補正受信パイロットシンボルＣn+k+3  として確定する。【選択図】      図６
2007251448.tif 000002
【特許請求の範囲】
【請求項１】
複数の受信パイロットシンボルに対するフェージングの影響を検出するフェージング検出装置であって、
前記複数の受信パイロットシンボルのうちフェージングによる雑音が加わっているものを、第一種０次ベッセル関数を用いて検出する検出手段を含むことを特徴とするフェージング検出装置。
【請求項２】
前記検出手段は、
前記複数の受信パイロットシンボルの相関係数を算出する算出手段と、
この相関係数が前記第一種０次ベッセル関数の所定範囲内に存在しているかどうかを判定して範囲外となった場合に、その範囲外となった時の前記受信パイロットシンボルに雑音が加わっていると判定する判定手段と、
を有することを特徴とする請求項１記載のフェージング検出装置。
【請求項３】
複数の受信パイロットシンボルに対するフェージングの影響を補正するフェージング補正装置であって、
前記複数の受信パイロットシンボルのうちフェージングによる雑音が加わっているものを、第一種０次ベッセル関数を用いて検出する検出手段と、
前記雑音が加わっている受信パイロットシンボルを、この受信パイロットシンボルより前の２つの受信パイロットシンボルの差に応じた値及び前記第一種０次ベッセル関数を用いて補正する補正手段と、
を含むことを特徴とするフェージング補正装置。
【請求項４】
前記検出手段は、
前記複数の受信パイロットシンボルの相関係数を算出する算出手段と、
この相関係数が前記第一種０次ベッセル関数の所定範囲内に存在しているかどうかを判定して範囲外となった場合に、その範囲外となった時の前記受信パイロットシンボルに雑音が加わっていると判定する判定手段と、
を有することを特徴とする請求項３記載のフェージング補正装置。
【請求項５】
前記補正手段は、
前記差に応じた値を前記雑音が加わっている受信パイロットシンボルに加算して仮補正受信パイロットシンボルとして、前記相関係数を求める手段と、
この相関係数が前記第一種０次ベッセル関数の所定範囲内に存在しているかどうかを判定して、範囲内であれば、前記仮補正受信パイロットシンボルを補正受信パイロットシンボルとして確定する手段と、
を有することを特徴とする請求項４記載のフェージング補正装置。
【請求項６】
前記補正手段は、
前記差に応じた値を前記雑音が加わっている受信パイロットシンボルに加算して仮補正受信パイロットシンボルとして、前記相関係数を求める手段と、
この相関係数が前記第一種０次ベッセル関数の所定範囲内に存在しているかどうかを判定して、範囲外であれば、前記仮補正受信パイロットシンボルを中心として、前記差を半径とする円内をブロック状に細分してこれらブロックの各点における相関係数を求める手段と、
これら相関係数が前記第一種０次ベッセル関数の所定範囲内に存在している点を補正受信パイロットシンボルとして確定する手段と、
を有することを特徴とする請求項４記載のフェージング補正装置。
【請求項７】
複数の受信パイロットシンボルに対するフェージングの影響を検出するフェージング検出方法であって、
前記複数の受信パイロットシンボルのうちフェージングによる雑音が加わっているものを、第一種０次ベッセル関数を用いて検出する検出ステップを含むことを特徴とするフェージング検出方法。
【請求項８】
前記検出ステップは、
前記複数の受信パイロットシンボルの相関係数を算出する算出ステップと、
この相関係数が前記第一種０次ベッセル関数の所定範囲内に存在しているかどうかを判定して範囲外となった場合に、その範囲外となった時の前記受信パイロットシンボルに雑音が加わっていると判定する判定ステップと、
を有することを特徴とする請求項７記載のフェージング検出方法。
【請求項９】
複数の受信パイロットシンボルに対するフェージングの影響を補正するフェージング補正方法であって、
前記複数の受信パイロットシンボルのうちフェージングによる雑音が加わっているものを、第一種０次ベッセル関数を用いて検出する検出ステップと、
前記雑音が加わっている受信パイロットシンボルを、この受信パイロットシンボルより前の２つの受信パイロットシンボルの差に応じた値及び前記第一種０次ベッセル関数を用いて補正する補正ステップと、
を含むことを特徴とするフェージング補正方法。
【請求項１０】
前記検出ステップは、
前記複数の受信パイロットシンボルの相関係数を算出する算出ステップと、
この相関係数が前記第一種０次ベッセル関数の所定範囲内に存在しているかどうかを判定して範囲外となった場合に、前記その範囲外となった時の前記受信パイロットシンボルに雑音が加わっていると判定する判定ステップと、
を有することを特徴とする請求項９記載のフェージング補正方法。
【請求項１１】
前記補正ステップは、
前記差に応じた値を前記雑音が加わっている受信パイロットシンボルに加算して仮補正受信パイロットシンボルとして、前記相関係数を求めるステップと、
この相関係数が前記第一種０次ベッセル関数の所定範囲内に存在しているかどうかを判定して、範囲内であれば、前記仮補正受信パイロットシンボルを補正受信パイロットシンボルとして確定するステップと、
を有することを特徴とする請求項１０記載のフェージング補正方法。
【請求項１２】
前記補正ステップは、
前記差に応じた値を前記雑音が加わっている受信パイロットシンボルに加算して仮補正受信パイロットシンボルとして、前記相関係数を求めるステップと、
この相関係数が前記第一種０次ベッセル関数の所定範囲内に存在しているかどうかを判定して、範囲外であれば、前記仮補正受信パイロットシンボルを中心として、前記差を半径とする円内をブロック状に細分してこれらブロックの各点における相関係数を求めるステップと、
これら相関係数が前記第一種０次ベッセル関数の所定範囲内に存在している点を補正受信パイロットシンボルとして確定するステップと、
を有することを特徴とする請求項１０記載のフェージング補正方法。
【請求項１３】
請求項１または２記載のフェージング検出装置と、請求項３〜６いずれか記載のフェージング補正装置とを含むことを特徴とする移動無線通信端末。
【請求項１４】
複数の受信パイロットシンボルに対するフェージングの影響を検出するフェージング検出方法をコンピュータに実行させるためのプログラムであって、
前記複数の受信パイロットシンボルのうちフェージングによる雑音が加わっているものを、第一種０次ベッセル関数を用いて検出する検出処理を含むことを特徴とするプログラム。
【請求項１５】
前記検出処理は、
前記複数の受信パイロットシンボルの相関係数を算出する算出処理と、
この相関係数が前記第一種０次ベッセル関数の所定範囲内に存在しているかどうかを判定して範囲外となった場合に、その範囲外となった時の前記受信パイロットシンボルに雑音が加わっていると判定する判定処理と、
を有することを特徴とする請求項１４記載のプログラム。
【請求項１６】
複数の受信パイロットシンボルに対するフェージングの影響を補正するフェージング補正方法をコンピュータに実行させるためのプログラムであって、
前記複数の受信パイロットシンボルのうちフェージングによる雑音が加わっているものを、第一種０次ベッセル関数を用いて検出する検出処理と、
前記雑音が加わっている受信パイロットシンボルを、この受信パイロットシンボルより前の２つの受信パイロットシンボルの差に応じた値及び前記第一種０次ベッセル関数を用いて補正する補正処理と、
を含むことを特徴とするプログラム。
【請求項１７】
前記検出処理は、
前記複数の受信パイロットシンボルの相関係数を算出する算出処理と、
この相関係数が前記第一種０次ベッセル関数の所定範囲内に存在しているかどうかを判定して範囲外となった場合に、その範囲外となった時の前記受信パイロットシンボルに雑音が加わっていると判定する判定処理と、
を有することを特徴とする請求項１６記載のプログラム。
【請求項１８】
前記補正処理は、
前記差に応じた値を前記雑音が加わっている受信パイロットシンボルに加算して仮補正受信パイロットシンボルとして、前記相関係数を求める処理と、
この相関係数が前記第一種０次ベッセル関数の所定範囲内に存在しているかどうかを判定して、範囲内であれば、前記仮補正受信パイロットシンボルを補正受信パイロットシンボルとして確定する処理と、
を有することを特徴とする請求項１７記載のプログラム。
【請求項１９】
前記補正処理は、
前記差に応じた値を前記雑音が加わっている受信パイロットシンボルに加算して仮補正受信パイロットシンボルとして、前記相関係数を求める処理と、
この相関係数が前記第一種０次ベッセル関数の所定範囲内に存在しているかどうかを判定して、範囲外であれば、前記仮補正受信パイロットシンボルを中心として、前記差を半径とする円内をブロック状に細分してこれらブロックの各点における相関係数を求める処理と、
これら相関係数が前記第一種０次ベッセル関数の所定範囲内に存在している点を補正受信パイロットシンボルとして確定する処理と、
を有することを特徴とする請求項１７記載のプログラム。
【発明の詳細な説明】
【技術分野】
【０００１】
本発明はフェージング検出装置及びその補正装置並びにそれらの方法及びそれを用いた移動無線通信端末に関し、特に移動無線通信端末において複数の受信パイロットシンボルに対するフェージングの影響を検出補正する方式に関するものである。
【背景技術】
【０００２】
移動無線局である移動無線通信端末（携帯電話機など）で通話する際、移動無線通信端末は基地局と電波により交信するが、基地局の送信アンテナから放射されたこの電波は周囲のさまざまな建造物や地形の起伏などにより遮断、回折、あるいは反射されて移動無線通信端末の受信アンテナに到達する。すなわち、移動無線通信端末と基地局との間に、いわゆるマルチパス伝搬路が形成される。このような移動無線通信環境下において、自動車などに乗って移動しつつ移動無線通信端末で通話する際には、移動無線通信端末の移動に伴って、電波の位相、振幅が変動するフェージングが生じる。
【０００３】
通常、移動無線局である移動無線通信端末の交信に使われる電波信号には、搬送波の位相や振幅を調整する変調方式が採用されているために、このフェージングによる位相、振幅の変動により、移動無線通信端末側では、受信が困難であったり、あるいは誤ったデータを受信したりする場合がある。通信相手先の基地局についても同様のことがいえる。
【０００４】
このフェージング対策として、データシンボルに位相、振幅が既知のパイロットシンボルを挿入して送信する方法がある。この方法は、既知であるパイロットシンボルを送信側から受信側へ送信することにより、受信側で無線伝搬路にて受けたフェージング変動を推定し（チャネル推定）、この推定されたチャネル推定値をもとに、無線伝搬路にて受けた変動分だけデータシンボルの位相、振幅を元に戻し、フェージングの影響をなくすものである。
【０００５】
従来、データシンボルにパイロットシンボルを挿入する方法として、特許文献１や２などに開示されているように、データシンボル間にパイロットシンボルを挿入する時間多重方式（図９）と、パイロットシンボルをデータシンボルに対して並列に挿入する並列方式（図１０）とが知られている。
【０００６】
また、一般的に、緩慢なフェージングに対しては、多くのパイロットシンボルを平均化すると、チャネル推定精度が向上する。一方、急峻なフェージングに対しては、フェージングの変動周期を越えて平均化すると、急峻なフェージングを正しく反映できなくなり、逆にチャネル推定精度が低下してしまう。これに対し、急峻なフェージングのときは、少ないパイロットシンボルを平均化してチャネル推定精度を向上させることが知られている。
【０００７】
【特許文献１】特開２００４−００７７９３号公報
【特許文献２】特開２００４−０１５８１９号公報
【特許文献３】特開２００３−１９８６５１号公報
【特許文献４】特開２００５−０９１３６３号公報
【非特許文献１】高畑文雄著「ディジタル無線通信入門」第１２３頁、２００２年６月２０日発行
【発明の開示】
【発明が解決しようとする課題】
【０００８】
しかし、従来技術では、チャネル推定値を求める前に、受信パイロットシンボルに予想外の雑音が加わった場合のことについては、何等言及されていない。
【０００９】
そこで、本発明の目的は、受信パイロットシンボルに予想外の雑音が加わった場合に、個々のパイロットシンボルを補正することにより、チャネル推定精度を向上させるフェージンク検出装置及びその補正装置並びにそれらの方法及びにそれを用いた移動無線通信端末を提供することである。
【課題を解決するための手段】
【００１０】
本発明によるフェージング検出装置は、複数の受信パイロットシンボルに対するフェージングの影響を検出するフェージング検出装置であって、前記複数の受信パイロットシンボルのうちフェージングによる雑音が加わっているものを、第一種０次ベッセル関数を用いて検出する検出手段を含むことを特徴とする。
【００１１】
本発明によるフェージング補正装置は、複数の受信パイロットシンボルに対するフェージングの影響を補正するフェージング補正装置であって、前記複数の受信パイロットシンボルのうちフェージングによる雑音が加わっているものを、第一種０次ベッセル関数を用いて検出する検出手段と、前記雑音が加わっている受信パイロットシンボルを、この受信パイロットシンボルより前の２つの受信パイロットシンボルの差（または差の２倍）及び前記第一種０次ベッセル関数を用いて補正する補正手段とを含むことを特徴とする。
【００１２】
本発明によるフェージング検出方法は、複数の受信パイロットシンボルに対するフェージングの影響を検出するフェージング検出方法であって、前記複数の受信パイロットシンボルのうちフェージングによる雑音が加わっているものを、第一種０次ベッセル関数を用いて検出する検出ステップを含むことを特徴とする。
【００１３】
本発明によるフェージング補正方法は、複数の受信パイロットシンボルに対するフェージングの影響を補正するフェージング補正方法であって、前記複数の受信パイロットシンボルのうちフェージングによる雑音が加わっているものを、第一種０次ベッセル関数を用いて検出する検出ステップと、前記雑音が加わっている受信パイロットシンボルを、この受信パイロットシンボルより前の２つの受信パイロットシンボルの差（または差の２倍）及び前記第一種０次ベッセル関数を用いて補正する補正ステップとを含むことを特徴とする。
【００１４】
本発明による移動無線通信端末は、上記のフェージング検出装置およびフェージング補正装置を含むことを特徴とする。
【００１５】
本発明によるプログラムは、複数の受信パイロットシンボルに対するフェージングの影響を検出するフェージング検出方法をコンピュータに実行させるためのプログラムであって、前記複数の受信パイロットシンボルのうちフェージングによる雑音が加わっているものを、第一種０次ベッセル関数を用いて検出する検出処理を含むことを特徴とする。
【００１６】
本発明による他のプログラムは、複数の受信パイロットシンボルに対するフェージングの影響を補正するフェージング補正方法をコンピュータに実行させるためのプログラムであって、前記複数の受信パイロットシンボルのうちフェージングによる雑音が加わっているものを、第一種０次ベッセル関数を用いて検出する検出処理と、前記雑音が加わっている受信パイロットシンボルを、この受信パイロットシンボルより前の２つの受信パイロットシンボルの差（または差の２倍）及び前記第一種０次ベッセル関数を用いて補正する補正処理とを含むことを特徴とする。
【発明の効果】
【００１７】
本発明によれば、チャネル推定前のパイロットシンボルに予想外の雑音が加わっている場合、この予想外の雑音を検出して補正し、補正後のパイロットシンボルを使用することにより、チャネル推定精度を向上させることが可能となるという効果があり、特に、緩慢なフェージング環境において効果が大となる。
【発明を実施するための最良の形態】
【００１８】
以下に、図面を参照しつつ本発明実施の形態について説明する。図１は本発明の実施の形態に係る移動無線通信端末としての携帯電話機１００の機能ブロック図を示している。但し、図１は受信回路の構成のみを示しており、発振回路、キーデータ入力部などの構成は図示を省略している。また、この携帯電話機１００の制御はマイクロコンピュータを用いて行われているものである。
【００１９】
図１において、１は受信アンテナであり、図示せぬ基地局からの電波による信号を受信する。受信アンテナ１で受信された信号は、バンドパスフィルタＢＰＦ（帯域濾波器）２，３に入力されて、受信すべき周波数帯域の信号のみが通過される。４，５は復調器であり、例えば、ＱＰＳＫや１６ＱＡＭで変調された信号を復調する。復調器４，５からの出力はチャネル補正部９に入力される。
【００２０】
チャネル補正部９は、基地局から携帯電話機１００までの伝搬路で受けたデータシンボルの位相と振幅の影響を元に戻すように補正する。また、チャネル補正部９の出力信号は、誤り訂正部１０でデータの誤り訂正が行われる。誤り訂正部１０の出力信号は次のデコード部１２でデコードされる。デコードされた映像信号は、映像処理部１３を通ってモニタ装置１４に出力される。また、デコードされた音声信号は音声処理部１５を通ってスピーカ１６に出力される。
【００２１】
チャネル補正部９は入力されたデータシンボルを遅延させる遅延部６と、入力されたパイロットシンボルから雑音を受けたパイロットシンボルのみを検出し、補正するパイロットシンボル補正部１１を通り、パイロットシンボル補正部１１から基地局と当該携帯電話機１００との間の伝搬路状態を推定するチャネル推定部７と、チャネル推定部に付随して、チャネル推定部７の出力でデータシンボルを補正するデータシンボル補正部８とを備えている。
【００２２】
本実施の形態は、パイロットシンボル系列Ｐをデータシンボル系列Ｄに対して並列に挿入した並列方式であるので、受信アンテナ１からの受信信号は、バンドパスフィルタＢＰＦ２，３、復調器４，５の２系統に分かれてチャネル補正部９に入力される。受信されたデータシンボルはバンドパスフィルタＢＰＦ２、復調器４を通って遅延部６に入力される。また、受信されたパイロットシンボルはバンドパスフィルタＢＰＦ３、復調器５を通ってパイロットシンボル補正部１１に入力される。遅延部６から出力されたデータシンボルはデータシンボル補正部８に入力される。一方、受信パイロットシンボルはパイロットシンボル補正部１１からチャネル推定部７へ入力され、チャネル推定部７から出力されるチャネル推定値がデータシンボル補正部８に入力され、これら入力に基づきデータシンボル補正部８はデータシンボルの位相、振幅を補正する。
【００２３】
次に、本実施の形態のパイロットシンボル補正方法について、図２のフローチャートを参照して説明する。本例では、受信パイロットシンボルを４シンボル使用し、チャネル推定値を求める場合を想定して、以下に説明する。
【００２４】
一般的に、緩慢なフェージング環境下における送信パイロットシンボルに対する受信パイロットシンボルの軌跡は図３に示すように描かれる（黒丸で示す）。なお、図３において、白丸は送信パイロット信号Ｐを示す。そして、チャネル推定値はζn  は、次式で求めることができる。
【数１】
2007251448.tif 000003
ここに、Ｐ＊は既知のパイロットシンボルの複素共役であり、ｎ，ｋ，ｌは０を含む正の整数である。
【００２５】
しかしながら、受信パイロットシンボルＳ3  に予想外の雑音が付加されて受信パイロットシンボルＳ’3  となって、この受信パイロットシンボルＳ’3  を用いてチャネル推定値を求めると、誤差を有するものとなってしまう。
【００２６】
そこで、予想外の雑音がＳn+k+3  に付加された場合について、図４の例を用いて以下に説明する。図４中のＳn+k+3  を予想外の雑音が付加された受信パイロットシンボル、Ｓ’n+k+3  を予想外の雑音が付加されていない正規の受信パイロットシンボルとする。Ｓn+k+3  を使用してチャネル推定を行うと、チャネル推定値に誤差を生じてしまう。そこで、予想外の雑音を検出し補正する。
【００２７】
検出方法としては、一般的にレイリーフェージングの時間相関は第一種０次ベッセル関数で表すことができるために、本関数を用いる。この関数は非特許文献１に示されている様に、
【数２】
2007251448.tif 000004
と表現される。
【００２８】
ここで、τは受信パイロット信号Ｓ0  を受信した時間を基準（０）とした時間であり、θ’は−π〜＋πまでの角度であり積分変数である。また、ｆD  は最大ドップラー周波数であり、これを推定する必要がある。この推定方法としては、特許文献３，４などがある。
【００２９】
これを用いて、例えば、Ｓn  からＳn+k+3  までの相関係数ρn+k+3  を求める（図２のステップＡ１）。この相関係数が、
｜Ｊ0  ｛２π（ｆD  ±ｆD  ’）τ｝｜≧ρn+k+3 
を満たすようであれば、補正は行わない（図５の第一種０次ベッセル関数と相関係数との関係を示す図参照）（ステップＡ２のＹＥＳ）。そして、チャネル推定値ζn  を求める（ステップＡ３）。なお、ここで、ｆD  ’は補正調整値であり、補正をする／しないを判断するための範囲を決める役割をする。また、τはＳn  からＳn+k+3  を受信するまでの時間である。
【００３０】
ステップＡ２でＮＯ、すなわち上記の不等式を満たさない場合は、上記の不等式を満たすようにＳn+k+3  を補正する（この補正についての詳細は後述する）。その補正点を補正受信パイロットシンボルＣn+k+3  とする（ステップＡ４）（図４参照）。この時のチャネル推定値は、
【数３】
2007251448.tif 000005
となる（ステップＳＡ５）。
【００３１】
次に、図６でＳn+k+4  が受信されたとする（ステップＡ６）。初めに、相関係数ρn+k+4  を求める（ステップＡ７）。この時、Ｓn+k+3  は相関性を崩すために、計算からは除く。この相関係数ρn+k+4  が上記の不等式を満たすようであれば、補正は行わない（ステップＡ８でＹＥＳ）。そして、チャネル推定値を求める（ステップＡ９）。ここで、τはＳn  からＳn+k+4  を受信するまでの時間である。
【００３２】
ステップＡ８でＮＯの場合、すなわち不等式を満たさない場合は、それを満たすようにＳn+k+4  を補正する（この補正についての詳細は後述する）。その点を補正受信パイロットシンボルＣn+k+4  とする（ステップＡ１０）。この時のチャネル推定値は、
【数４】
2007251448.tif 000006
となる（ステップＡ１１）。そして、以降、それぞれ次の受信点を加味した上記処理の繰り返しとなる（ステップＡ１２）。
【００３３】
次に、図２のフローチャートのステップＡ４及びＡ１０における補正方法を、図７及び図８をそれぞれ参照しつつ、上記例を用いて具体的に説明する。先ず、図７を参照すると、上記の補正受信パイロットシンボルを求める場合、直前の２つの受信パイロットシンボルＳn+k+1  とＳn+k+2  との実部・虚部の各差（Ｓn+k+2  −Ｓn+k+1  ）を求め（ステップＡ４１）、これら各差をＳn+k+2  の実部・虚部にそれぞれ加えた点を、仮補正受信パイロットシンボルＣ’n+k+3  として求める。そして、相関係数ρn+k+3  を求める（ステップＡ４２）。
【００３４】
この相関係数が上記の不等式を満たせば（ステップＡ４３でＹＥＳ）、仮補正受信パイロットシンボルＣ’n+k+3  を補正受信パイロットシンボルＣn+k+3  として確定する（ステップＡ４４）。満たさない場合は（ステップＡ４３でＮＯ）、仮補正受信パイロットシンボルＣ’n+k+3  を中心とし、（Ｓn+k+2  −Ｓn+k+1  ）を半径とする円内をブロック状に細分し、各点における相関を求める（ステップＡ４５）。そして、上記不等式を満たす点を補正受信パイロットシンボルＣn+k+3  として確定する（ステップＡ４６）。
【００３５】
次に、図２のステップＡ１０における補正受信パイロットシンボルＣn+k+4  を求める場合について、図８のフローチャートを用いて説明する。補正受信パイロットシンボルＣn+k+4  を求める場合、直前の受信パイロットシンボルＳn+k+3  が使えないために、その前の２つの受信パイロットシンボルＳn+k+1  とＳn+k+2  との実部・虚部の各々の差を求め（ステップＡ１０１）、これら各差をそれぞれ２倍した値をＳn+k+2  に加え、仮補正受信パイロットシンボルＣ’n+k+4  を求めて、相関係数ρn+k+4  を求める（ステップＡ１０２）。そして、これが上記不等式を満たせば（ステップＡ１０３でＹＥＳ）、仮補正受信パイロットシンボルＣ’n+k+4  を補正受信パイロットシンボルＣn+k+4  として確定する（ステップＡ１０４）。
【００３６】
なお、ステップＡ１０１及びＡ１０２の代わりに、補正受信パイロットシンボルＣn+k+3  と受信パイロットシンボルＳn+k+2  の実部・虚部の各差（Ｃn+k+3  −Ｓn+k+2  ）をＣn+k+3  の実部・虚部にそれぞれ加えて、仮補正受信パイロットシンボルＣ’n+k+4  を求め、次のステップＡ１０３，Ａ１０４へ進むようにすることもできる。
【００３７】
ステップＡ１０３でＮＯの場合、仮補正受信パイロットシンボルＣ’n+k+4  を中心とし、（Ｓn+k+2  −Ｓn+k+1  ）または（Ｃn+k+3  −Ｓn+k+2  ）を半径とする円内をブロック状に細分し、各点における相関係数を求める（ステップＡ１０５）、そして、上記不等式を満たす点を補正受信パイロットシンボルＣn+k+4  として確定する（ステップＡ１０６）。
【００３８】
なお、上記の実施の形態におけるフローチャートの動作は、予めその動作手順をプログラムとしてＲＯＭなどの記録媒体に格納しておき、これをコンピュータにより読み取らせて実行させるように構成できることは明白である。また、上記の実施の形態ではチャネル推定値を求める際、４つの受信パイロットシンボルを使用して求めているが、本例は一例であり、他の値を使用することも容易に考えられることは言うまでもない。
【図面の簡単な説明】
【００３９】
【図１】本発明の実施の形態における移動無線通信端末の機能ブロック図である。
【図２】本発明の実施の形態における動作を示すフローチャートである。
【図３】受信パイロットシンボルと雑音を受けた受信パイロットシンボルとを示す図である。
【図４】受信パイロットシンボルの補正例を説明する図である。
【図５】第一種０次ベッセル関数の波形と、受信パイロットシンボルの相関係数ρとの関係を示す図である。
【図６】受信パイロットシンボルの補正例を説明する図である。
【図７】図２のフローチャート一部詳細を示す図である。
【図８】図２のフローチャート一部詳細を示す図である。
【図９】パイロットシンボルとデータシンボルとの時間多重方式を示す図である。
【図１０】パイロットシンボルとデータシンボルとの並列方式を示す図である。
【符号の説明】
【００４０】
１  アンテナ
２，３  ＢＰＦ
４，５  復調器
６  遅延部
７  チャネル推定部
８  データシンボル補正部
９  チャネル補正部
１０  誤り訂正部
１１  パイロットシンボル補正部
１２  デコード部
１３  映像処理部
１４  モニタ装置
１５  音声処理部
１６  スピーカ
【図１】
2007251448.tif 000007
【図２】
2007251448.tif 000008
【図３】
2007251448.tif 000009
【図４】
2007251448.tif 000010
【図５】
2007251448.tif 000011
【図６】
2007251448.tif 000012
【図７】
2007251448.tif 000013
【図８】
2007251448.tif 000014
【図９】
2007251448.tif 000015
【図１０】
2007251448.tif 000016